(57)【要約】【課題】導光板の入光部分近傍の出光面の明暗の発生を抑制する。【解決手段】光が入射する入光面を側面に有し、入光面から入射する光を出光面から出射する平板状の導光板は、出光面に離散的に設けられ、光を拡散反射する複数の拡散反射部と、出光面の反対面に設けられ、反対面の法線方向から見て、入光面に対して垂直方向に延在する複数の凸条と、を備える。【選択図】図１
2019139851.tif 000002
【特許請求の範囲】
【請求項１】
光が入射する入光面を側面に有し、前記入光面から入射する光を出光面から出射する平板状の導光板であって、
前記出光面に離散的に設けられ、光を拡散反射する複数の拡散反射部と、
前記出光面の反対面に設けられ、前記反対面の法線方向から見て、前記入光面に対して垂直方向に延在する複数の凸条と、
を備える導光板。
【請求項２】
前記複数の凸条は、高さが異なる２種以上の凸条を有する、
請求項１に記載の導光板。
【請求項３】
複数の前記凸条が一定の間隔を空けて前記反対面に配置されている、
請求項１又は２に記載の導光板。
【請求項４】
複数の前記拡散反射部の一部の表面が鏡面であり、複数の前記拡散反射部の他の一部の表面が微粗面である、
請求項１から３の何れか一項に記載の導光板。
【請求項５】
前記入光面側から前記入光面に対向する面側に向かって、複数の前記拡散反射部の表面の粗さが大きくなる、
請求項１から４の何れか一項に記載の導光板。
【請求項６】
複数の前記拡散反射部が凹形状である、
請求項１から５の何れか一項に記載の導光板。
【請求項７】
前記反対面に離散的に設けられ、光を拡散反射する第２拡散反射部を備え、
前記第２拡散反射部は、隣り合う２つの前記凸条の間に配置されている、
請求項１から６の何れか一項に記載の導光板。
【請求項８】
複数の前記凸条が、前記入光面の近傍に配置されている、
請求項１から７の何れか一項に記載の導光板。
【請求項９】
請求項１から８の何れか一項に記載の導光板と、
前記入光面と対向する位置に配置された光源と、
前記反対面と対向する位置に配置された反射シートと、
を備える面光源装置。
【請求項１０】
請求項９に記載の面光源装置と、
前記面光源装置から出射される光を受ける表示パネルと、
を備えることを特徴とする表示装置。
【請求項１１】
請求項１０に記載の表示装置を備えることを特徴とする電子機器。
【発明の詳細な説明】
【技術分野】
【０００１】
本発明は、導光板、面光源装置、表示装置、及び電子機器に関する。
【背景技術】
【０００２】
近年、電子機器の小型化、薄型化が進んでいる。このような電子機器に搭載される液晶表示装置には、同一の面積でより大きな表示領域を得るための狭額縁化や、薄型化のニーズがある。表示装置のバックライトには、例えば、白色光を出射するＬＥＤ（Light Emitting Diode）を光源とし、導光板（ライトガイドとも呼ばれる）を用いたサイドライトタイプ（エッジライト方式とも呼ばれる）の面光源装置が用いられている。
【０００３】
光出射面に、直線状に延在する凸状の構造体が複数平行に配列されたレンズアレイを有し、光反射面に、凹状の構造体が配置され、角部付近における凹状の構造体の平均高さが、中央付近における凹状の構造体の平均高さよりも小さい、導光板であって、面内における出射光の均一性を向上させる導光板が提案されている（特許文献１参照）。
【先行技術文献】
【特許文献】
【０００４】
【特許文献１】特開２０１４−８６２４５号公報
【発明の概要】
【発明が解決しようとする課題】
【０００５】
液晶表示装置の大画面化の加速により、入光側における挟額縁化に対応するため、入光側の遮光両面テープの幅が狭小化している。図１５は、従来例における面光源装置１００及び２００の平面図である。面光源装置１００は導光板１０１を備えている。導光板１０１の出光面側から見て、導光板１０１の出光面の外周部分に遮光両面テープ１０２が貼り付けられている。面光源装置２００は導光板２０１を備えている。導光板２０１の出光面側から見て、導光板２０１の出光面の外周部分に遮光両面テープ２０２が貼り付けられている。導光板１０１の入光部分に対向して光源１０３が配置されており、遮光両面テープ１０２が光源１０３を覆っている。導光板２０１の入光部分に対向して光源２０３が配置されており、遮光両面テープ２０２が光源２０３を覆っている。図１５に示すように、導光板２０１の入光部分側における遮光両面テープ２０２の幅が、導光板１０１の入光部分側における遮光両面テープ１０２の幅よりも小さくなっている。
【０００６】
図１５に示すように、導光板２０１の入光部分の近傍において、光源２０３の正面は明るいが、光源２０３の斜め方向の光量が少ないため、光源２０３の斜め方向に暗い部分２０４が存在しており、導光板２０１の入光部分近傍の出光面に明暗が発生している。導光板１０１においても、導光板１０１の入光部分近傍の出光面に明暗が発生しているが、遮光両面テープ１０２の幅が大きいため、導光板１０１の入光部分近傍の出光面の暗い部分が遮光両面テープ１０２によって覆われている。導光板２０１のように、導光板２０１の入光部分側における遮光両面テープ２０２の幅が狭小化してくると、導光板２０１の入光部分近傍の出光面の明暗の差が認識できるようになるため、液晶表示装置の見栄えが低下する問題がある。
【０００７】
このような状況に鑑み、本発明は、導光板の入光部分近傍の出光面の明暗の発生を抑制することを目的とする。
【課題を解決するための手段】
【０００８】
本発明では、上記課題を解決するために、以下の手段を採用した。すなわち、本発明は、光が入射する入光面を側面に有し、入光面から入射する光を出光面から出射する平板状の導光板であって、出光面に離散的に設けられ、光を拡散反射する複数の拡散反射部と、出光面の反対面に設けられ、反対面の法線方向から見て、入光面に対して垂直方向に延在する複数の凸条と、を備える導光板である。本発明に係る導光板によれば、複数の拡散反射部を導光板の出光面に離散的に設け、複数の凸条を出光面の反対面に設けることにより、導光板の入光部分近傍の出光面の明暗の発生を抑制することができる。
【０００９】
本発明に係る導光板において、複数の凸条は、高さが異なる２種以上の凸条を有する。本発明に係る導光板において、複数の凸条が一定の間隔を空けて反対面に配置されている。本発明に係る導光板において、複数の拡散反射部の一部の表面が鏡面であり、複数の拡散反射部の他の一部の表面が微粗面である。本発明に係る導光板において、入光面側から入光面に対向する面側に向かって、複数の拡散反射部の表面の粗さが大きくなる。本発明に係る導光板において、複数の拡散反射部が凹形状である。本発明に係る導光板は、反対面に離散的に設けられ、光を拡散反射する第２拡散反射部を備え、第２拡散反射部は、隣り合う２つの凸条の間に配置されている。本発明に係る導光板において、複数の凸条が、入光面の近傍に配置されている。
【００１０】
本発明に係る面光源装置は、導光板と、入光面と対向する位置に配置された光源と、反対面と対向する位置に配置された反射シートと、を備える。本発明に係る表示装置は、面光源装置と、面光源装置から出射される光を受ける表示パネルと、を備える。本発明に係る電子機器は、表示装置を備える。
【発明の効果】
【００１１】
本発明によれば、導光板の入光部分近傍の出光面の明暗の発生を抑制することができる。
【図面の簡単な説明】
【００１２】
【図１】図１は、導光板の一例を示す断面図である。
【図２】図２は、液晶表示装置の一例を例示する斜視図である。
【図３】図３は、面光源装置の構成を例示する斜視図である。
【図４】図４は、導光板の一例を示す断面図である。
【図５】図５は、導光板の底面図である。
【図６】図６は、導光板の側面図である。
【図７Ａ】図７Ａは、比較例に係る導光板の出射光の分布の説明図である。
【図７Ｂ】図７Ｂは、比較例に係る導光板の平面図である。
【図７Ｃ】図７Ｃは、比較例に係る導光板の底面図である。
【図７Ｄ】図７Ｄは、比較例に係る導光板の出射光の分布の説明図である。
【図７Ｅ】図７Ｅは、比較例に係る導光板の平面図である。
【図８Ａ】図８Ａは、実施形態に係る導光板の出射光の分布の説明図である。
【図８Ｂ】図８Ｂは、実施形態に係る導光板の平面図である。
【図９Ａ】図９Ａは、導光板の側面図である。
【図９Ｂ】図９Ｂは、導光板の側面図である。
【図１０】図１０は、ドットパターンの表面の説明図である。
【図１１Ａ】図１１Ａは、導光板の側面図である。
【図１１Ｂ】図１１Ｂは、導光板の側面図である。
【図１２】図１２は、導光板の底面図である。
【図１３】図１３は、導光板の平面図である。
【図１４Ａ】図１４Ａは、実施形態に係る導光板の明暗の度合い及び比較例に係る導光板の明暗の度合いを示す図である。
【図１４Ｂ】図１４Ｂは、実施形態に係る導光板の平面図である。
【図１４Ｃ】図１４Ｃは、比較例に係る導光板の平面図である。
【図１５】図１５は、従来例における面光源装置の平面図である。
【発明を実施するための形態】
【００１３】
以下、本発明の実施の形態を、図面に基づいて説明する。なお、以下に説明する実施の形態は、本発明を実施する一例を示すものであって、本発明を以下に説明する具体的な構成に限定するものではない。
【００１４】
〈適用例〉
図１は、導光板１０の一例を示す断面図である。導光板１０は、平板状である。導光板１０は、光が入射する入光面１０Ａと、入光面１０Ａから入射する光を出射する出光面１０Ｂと、出光面１０Ｂの反対面１０Ｃとを有する。入光面１０Ａは、導光板１０の側面の一部である。出光面１０Ｂ及び反対面１０Ｃは、入光面１０Ａに直交又は略直交している。出光面１０Ｂ及び反対面１０Ｃは平行である。導光板１０は、導光板１０内に入射された光を出光面１０Ｂに導き、出光面１０Ｂ全体が光るように形成されている。導光板１０内に入射された光は、出光面１０Ｂ及び反対面１０Ｃで全反射することにより導光板１０内を進む。導光板１０内の光が、臨界角よりも小さな入射角で出光面１０Ｂに入射すると、出光面１０Ｂから導光板１０の外部に光が出射される。
【００１５】
図１に示すように、複数のドットパターン２１が出光面１０Ｂに離散的に設けられている。複数のレンチキュラー２２が反対面１０Ｃに設けられている。レンチキュラー２２は、反対面１０Ｃの法線方向から見て、入光面１０Ａに対して垂直方向に延在する凸条である。複数のドットパターン２１を出光面１０Ｂに設け、反対面１０Ｃにレンチキュラー２２を設けることにより、導光板１０の入光部分近傍の出光面１０Ｂの明暗の発生を抑制することができる。
【００１６】
以下の実施形態では、「面光源装置」は、液晶表示装置のバックライトユニットとして説明される。なお、「面光源装置」は、表示パネルや電子ペーパによる表示装置の前面に配置されるフロントライト等、バックライトユニット以外の用途で利用されてもよい。
【００１７】
（液晶表示装置の構成）
図２は、液晶表示装置の一例を例示する斜視図である。図２に示すように、液晶表示装置は、バックライトとして配置される面光源装置１と、面光源装置１から出射される光を受ける表示パネル（液晶ディスプレイ）２とを備える。表示パネル２は、ガラス板に挟まれて封入された液晶に電圧をかけて光の透過率を増減等させることで、像を表示する。以下、面光源装置１における、表示パネル２側を上面側として、その反対面側を下面側として説明することがある。
【００１８】
（面光源装置の構成）
図３は、面光源装置１の構成を例示する斜視図である。面光源装置１は、導光板１０、光源１１、フレキシブルプリント基板（以下、「ＦＰＣ」とも表記する）１２、フレーム１３、及び固定部材１４を備える。また、面光源装置１は、導光板１０の下面側に配置される反射シート１５を備える。更に、面光源装置１は、導光板１０の上面側に順に積層される拡散シート１６、プリズムシート１７及び遮光両面テープ１８を備える。
【００１９】
導光板１０は、概略平板状であり、ポリカーボネート樹脂やポリメチルメタクリレート樹脂等の透光性の素材で成形される。導光板１０の構成については、後述する。光源１１は、光を出射する発光面を有する。複数の光源１１がＦＰＣ１２に一定の間隔で一列に実装されている。光源１１は、導光板１０の入光面１０Ａと対向する位置に配置されている
。光源１１は、例えば、ＬＥＤパッケージであるが、ＬＥＤパッケージ以外の光源が用いられてもよい。光源１１は、発光素子であるＬＥＤチップが蛍光体を含む透光性樹脂（樹脂層）で封止されて形成されてもよい。若しくは、ＬＥＤチップ上に蛍光体を配置せずに、導光板１０の出光面１０Ｂ上に蛍光体層を配置してもよいし、反射シート１５上に蛍光体層を配置してもよい。光源１１は、ＦＰＣ１２からの給電を受けて駆動し、点灯する。なお、光源１１として、白色以外のＬＥＤ光源が用いられてもよい。
【００２０】
ＦＰＣ１２は、光源１１に電力を供給する配線基板である。ＦＰＣ１２は、可撓性のある絶縁性フィルムである基材上に、導体箔によって配線を設け、表面に保護用の絶縁性フィルムであるカバーレイ又はレジン（感光性樹脂）を接着させて形成されている。フレーム１３は、開口を有し、４辺からなる枠状の部材（「枠体」の一例）である。フレーム１３は、酸化チタンを含有したポリカーボネート樹脂等により成形される。また、フレーム１３は、樹脂フレーム及び金属フレームを有してもよい。フレーム１３は、導光板１０を収容し、フレーム１３の内周面が導光板１０の側面を囲っている。フレーム１３は、高い反射率を有しており、導光板１０内の光が面光源装置１の側面から漏れないように光を反射する。固定部材１４の上下面が粘着面である。固定部材１４は、例えば、両面粘着テープである。固定部材１４は、ＦＰＣ１２の下面等に配置されている。固定部材１４により、導光板１０とＦＰＣ１２とが固定され、ＦＰＣ１２とフレーム１３とが固定される。
【００２１】
反射シート１５は、多層膜構造を有する高反射フィルムまたは反射率の高い白色樹脂シートや金属箔などからなる平滑なシートであり、導光板１０内の光が面光源装置１の下面から漏れないように光を反射する。反射シート１５は、導光板１０の反対面１０Ｃと対向する位置に配置されている。拡散シート１６は、半透明な樹脂フィルムであり、導光板１０の出光面１０Ｂから出射された光を拡散させて光の指向特性を広げる。プリズムシート１７は、上面に三角プリズム状の微細なパターンが形成された透明な樹脂フィルムあり、拡散シート１６によって拡散された光を集光し、面光源装置１を上面側から見た場合の輝度を上昇させる。遮光両面テープ１８の上下面が粘着面である。遮光両面テープ１８は、例えば、黒色の両面粘着テープである。遮光両面テープ１８は、例えば、額縁状であり、面光源装置１の外周部分から光が漏れ出ることを抑制する。
【００２２】
（導光板１０の構成）
図４は、導光板１０の一例を示す断面図である。導光板１０は、光が入射する入光面１０Ａと、入光面１０Ａから入射する光を出射する出光面１０Ｂと、出光面１０Ｂの反対面１０Ｃと、入光面１０Ａに対向する対向面１０Ｄとを有する。入光面１０Ａ及び対向面１０Ｄは、導光板１０の側面の一部である。対向面１０Ｄは、入光面１０Ａの反対側の面である。出光面１０Ｂ及び反対面１０Ｃは、入光面１０Ａに直交又は略直交している。出光面１０Ｂ及び反対面１０Ｃは略平行である。入光面１０Ａ及び対向面１０Ｄは略平行である。導光板１０の入光面１０Ａと光源１１の発光面とが対向するように、フレーム１３内に導光板１０及び光源１１が収容される。導光板１０は、導光板１０内に入射された光を出光面１０Ｂに導き、出光面１０Ｂ全体が光るように形成されている。導光板１０内に入射された光は、出光面１０Ｂ及び反対面１０Ｃで全反射することにより導光板１０内を進む。導光板１０内の光が、臨界角よりも小さな入射角で出光面１０Ｂに入射すると、出光面１０Ｂから導光板１０の外部に光が出射される。
【００２３】
導光板１０は、導光板本体と、導光板本体の高さよりも高い光導入部とを備えてもよい。光源１１から出射された光が、光導入部から導光板本体内に効率よく入射し、導光板１０の光利用効率が向上する。導光板本体が光導入部よりも薄いことで、面光源装置１の薄型化が向上し、面光源装置１を備える液晶表示装置の薄型化が向上する。ただし、導光板１０は、光導入部を有しない平板形状であってもよい。
【００２４】
複数のドットパターン２１が出光面１０Ｂに離散的に設けられている。ドットパターン２１は、拡散反射部の一例である。導光板１０内の光は、出光面１０Ｂに設けられたドットパターン２１に当たって拡散反射する。図４に示すドットパターン２１は、導光板１０の内側に窪む凹形状であるが、この形状に限定されず、ドットパターン２１は、導光板１０の外側に突出する凸形状であってもよい。凹形状及び凸形状は、例えば、半球形状、レンズ形状、円柱形状、角柱形状、円錐形状、角錐形状、円錐台形状、角錐台形状等である。
【００２５】
ドットパターン２１が凸形状である場合、出光面１０Ｂに衝撃が加わることで、ドットパターン２１が潰れる可能性がある。出光面１０Ｂに衝撃が加わった際、ドットパターン２１の頭頂部分に荷重が加わることで、ドットパターン２１が潰れる。一部のドットパターン２１が潰れることで、出光面１０Ｂに局所的な暗部が発生する。一方、ドットパターン２１が凹形状である場合、出光面１０Ｂに衝撃が加わった際、ドットパターン２１に加わる荷重が分散され、ドットパターン２１の破損が抑制される。このように、ドットパターン２１が凹形状である場合、ドットパターン２１の耐荷重性が向上し、出光面１０Ｂにおける局所的な暗部の発生が抑制される。
【００２６】
反対面１０Ｃに複数のレンチキュラー２２が設けられている。図５は、導光板１０の反対面１０Ｃの法線方向から見た場合の導光板１０の底面図である。レンチキュラー２２は、反対面１０Ｃの法線方向から見て、入光面１０Ａに対して垂直方向に延在する凸条である。レンチキュラー２２は、入光面１０Ａ側から対向面１０Ｄ側に向かって延在する。複数のレンチキュラー２２は、互いに平行に並んで配置されている。複数のレンチキュラー２２は、連続して配置されており、隣り合う２つのレンチキュラー２２同士が繋がっている。したがって、複数のレンチキュラー２２が、反対面１０Ｃに隙間なく配置されている。レンチキュラー２２は、射出成形によって製造される導光板１０に一体に形成されてもよい。
【００２７】
図６は、導光板１０の入光面１０Ａの法線方向から見た場合の導光板１０の側面図である。図６には、導光板１０の一部が示されている。導光板１０内の光は、反対面１０Ｃに設けられたレンチキュラー２２に当たって拡散反射する。図４〜図６に示すレンチキュラー２２は、導光板１０の外側に突出する凸条であるが、この形状に限定されず、レンチキュラー２２は、導光板１０の内側に窪む凹条であってもよい。入光面１０Ａの法線方向から見た場合のレンチキュラー２２の断面形状は、例えば、半円形状、半楕円形状、角形状、台形形状等である。
【００２８】
ここで、実施形態に係る導光板１０の出射光の分布及び比較例に係る導光板３０１の出射光の分布について説明する。図７Ａは、比較例に係る導光板３０１の出射光の分布の説明図であり、導光板３０１の断面図である。導光板３０１は、光が入射する入光面３０１Ａと、入光面３０１Ａから入射する光を出射する出光面３０１Ｂと、出光面３０１Ｂの反対面３０１Ｃとを有する。導光板３０１の入光面３０１Ａと光源３０２の発光面とが対向しており、光源３０２から導光板３０１内に光が入射される。導光板３０１内に入射された光は、出光面３０１Ｂ又は反対面３０１Ｃで全反射することにより導光板３０１内を進む。導光板３０１内の光が、臨界角よりも小さな入射角で出光面３０１Ｂに入射すると、出光面３０１Ｂから導光板３０１の外部に光が出射される。複数のレンチキュラー３０３が出光面３０１Ｂに設けられ、複数のドットパターン３０４が反対面３０１Ｃに離散的に設けられている。レンチキュラー３０３は、出光面３０１Ｂの法線方向から見て、入光面３０１Ａに対して垂直方向に延在する凸条である。導光板３０１内の光は、出光面３０１Ｂに設けられたレンチキュラー３０３に当たって拡散反射し、反対面３０１Ｃに設けられたドットパターン３０４に当たって拡散反射する。図７Ａの実線の矢印Ａ１は、導光板３０１の正面方向に出射された光の進行方向を示している。図７Ａの点線の矢印Ａ２は、光
源１１の斜め方向に出射された光の進行方向を示している。導光板３０１の厚みＴ１は、約０．３ｍｍであるが、この値に限定されない。導光板３０１の側面から見た場合の光源３０２の光線角度（照射角度）は任意の値であり、例えば、光源３０２の種類や導光板３０１の厚みＴ１等により適宜決定される。
【００２９】
図７Ａの例では、反対面３０１Ｃで全反射した光が、出光面３０１Ｂから出射されている。図７Ａの例では、出光面３０１Ｂで全反射した光が、反対面３０１Ｃから出射されている。図７Ｂは、比較例に係る導光板３０１の出光面３０１Ｂの法線方向から見た場合の導光板３０１の平面図である。図７Ｂの実線の矢印Ａ１は、導光板３０１の正面方向に出射された光の進行方向を示している。反対面３０１Ｃに複数のドットパターン３０４が設けられている。光源３０２の正面方向に出射された光が、ドットパターン３０４の斜面に当たって拡散反射する場合が多い。光源３０２の正面方向に出射された光が、反対面３０１Ｃで反射されて出光面３０１Ｂから出射されるため、多光量領域Ｂ１が光源３０２の正面方向に存在している。多光量領域Ｂ１は、出光面３０１Ｂの所定領域であって、出光面３０１Ｂから出射される光の量が多い領域である。入光面３０１Ａと多光量領域Ｂ１との間の距離Ｄ１は、約１ｍｍ未満であるが、この値に限定されない。光源３０２のピッチは、隣接する光源３０２間の距離と光源３０２の幅との合計である。
【００３０】
図７Ｃは、比較例に係る導光板３０１の反対面３０１Ｃの法線方向から見た場合の導光板３０１の底面図である。図７Ｃの点線の矢印Ａ２は、導光板３０１の斜め方向に出射された光の進行方向を示している。出光面３０１Ｂに複数のレンチキュラー３０３が設けられている。光源３０２から正面方向に出射される光の進行方向と、レンチキュラー３０３の延在方向とが一致している。したがって、光源３０２の正面方向に出射された光が、レンチキュラー３０３の斜面に当たらずに出光面３０１Ｂから出射される場合が多く、光源３０２の正面方向における反対面３０１Ｃの光量が少ない。一方、光源３０２の斜め方向に出射された光が、レンチキュラー３０３の斜面に当たって拡散反射する場合が多い。隣り合う光源３０２から出射される光の重なり合いによって、光源３０２の斜め方向における反対面３０１Ｃの光量が多い。そのため、多光量領域Ｂ２が光源３０２の斜め方向に存在している。多光量領域Ｂ２は、反対面３０２Ｃの所定領域であって、反対面３０１Ｃから出射される光の量が多い領域である。入光面３０１Ａと多光量領域Ｂ２との間の距離Ｄ２は、光源３０２のピッチＰ１の１／２程度である。光源３０２の斜め方向に出射された光が反対面３０１Ｃに到達するまでの距離は、光源３０２の正面方向に出射された光が出光面３０１Ｂに到達するまでの距離よりも長い。そのため、距離Ｄ２は、距離Ｄ１よりも長い。多光量領域Ｂ１と多光量領域Ｂ２とは、同等の明るさである。反対面３０１Ｃから見た場合の光源３０２の光線角度は任意の値であり、例えば、光源３０２の種類等により適宜決定される。
【００３１】
図７Ｄは、比較例に係る導光板３０１の出射光の分布の説明図であり、導光板３０１の断面図である。図７Ｄに示すように、反射シート３０５が反対面３０１Ｃと対向して配置されている。図７Ｅは、比較例に係る導光板３０１の平面図である。図７Ｄ及び図７Ｅの実線の矢印Ａ１は、導光板３０１の正面方向に出射された光の進行方向を示している。図７Ｄ及び図７Ｅの点線の矢印Ａ２は、導光板３０１の斜め方向に出射された光の進行方向を示している。図７Ｅの多光量領域Ｂ１は、図７Ｂの多光量領域Ｂ１と同様である。図７Ｅの距離Ｄ１は、図７Ｂの距離Ｄ１と同様である。光源３０２の斜め方向に出射された光は、レンチキュラー３０３の斜面に当たって拡散反射する場合が多い。光源３０２の斜め方向に出射された光は、出光面３０１Ｂ及び反射シート３０５で反射する。隣り合う光源３０２から出射される光の重なり合いによって、光源３０２の斜め方向における出光面３０１Ｂの光量が多い。そのため、多光量領域Ｂ３が光源３０２の斜め方向に存在している。多光量領域Ｂ３は、出光面３０２Ｂの所定領域であって、出光面３０１Ｂから出射される光の量が多い領域である。多光量領域Ｂ１と多光量領域Ｂ３とは、同等の明るさである
。
【００３２】
入光面３０１Ａと多光量領域Ｂ３との間の距離Ｄ３は、約１ｍｍ以上であるが、この値に限定されない。光源３０２の斜め方向に出射された光が１回反射して出光面３０１Ｂに到達するまでの距離は、光源３０２の正面方向に出射された光が２回反射して出光面３０１Ｂに到達するまでの距離よりも長い。光源３０２の正面方向に出射された光は、１回反射して出光面３０１Ｂから出射される。光源３０２の斜め方向に出射された光は、２回反射して出光面３０１Ｂから出射される。そのため、距離Ｄ３は距離Ｄ１よりも長い。したがって、隣り合う多光量領域Ｂ１の間に光量の少ない領域が存在し、隣り合う多光量領域Ｂ３の間に光量の少ない部分が存在している。このように、導光板３０１の入光部分の近傍の出光面３０１Ｂに明暗が発生している。
【００３３】
図８Ａは、実施形態に係る導光板１０の出射光の分布の説明図であり、導光板１０の断面図である。光源１１が入光面１０Ａに対向して配置され、反射シート１５が反対面１０Ｃに対向して配置されている。図８Ａの矢印Ａ３は、光源１１の正面方向に出射された光の進行方向を示している。図８Ａの矢印Ａ４は、光源１１の斜め方向に出射された光の進行方向を示している。導光板１０の厚みＴ２は、約０．３ｍｍであるが、この値に限定されない。導光板１０の側面から見た場合の光源１１の光線角度（照射角度）は任意の値であり、例えば、光源１１の種類や導光板１０の厚みＴ２等により適宜決定される。
【００３４】
図８Ｂは、実施形態に係る導光板１０の出光面１０Ｂの法線方向から見た場合の導光板１０の平面図である。出光面１０Ｂに複数のドットパターン２１が設けられている。光源１１の正面方向に出射された光が、ドットパターン２１の斜面に当たって拡散反射する場合が多い。光源１１の正面方向に出射された光が、出光面１０Ｂで反射されて反対面１０Ｃから出射される。反対面１０Ｃから出射された光が、反射シート１５で反射して出光面１０Ｂから出射されるため、多光量領域Ｂ４が光源１１の正面方向に存在している。多光量領域Ｂ４は、出光面１０Ｂの所定領域であって、出光面１０Ｂから出射される光の量が多い領域である。入光面１０Ａと多光量領域Ｂ４との間の距離Ｄ４は、光源１１のピッチＰ２の１／２程度である。光源１１のピッチは、隣接する光源１１間の距離と光源１１の幅との合計である。
【００３５】
反対面１０Ｃに複数のレンチキュラー２２が設けられている。光源１１から正面方向に出射される光の進行方向と、レンチキュラー２２の延在方向とが一致している。光源１１から斜め方向に出射される光の進行方向と、レンチキュラー２２の延在方向とが交差している。したがって、光源１１の斜め方向に出射された光は、レンチキュラー２２の斜面に当たることにより反対面１０Ｃで反射し、出光面１０Ｂから出射される。隣り合う光源１１から出射される光の重なり合いによって、光源１１の斜め方向における出光面１０Ｂの光量が多い。そのため、多光量領域Ｂ５が光源１１の斜め方向に存在している。多光量領域Ｂ５は、出光面１０Ｂの所定領域であって、出光面１０Ｂから出射される光の量が多い領域である。
【００３６】
入光面１０Ａと多光量領域Ｂ５との間の距離Ｄ５は、光源１１のピッチＰ２の１／２程度である。光源１１の正面方向に出射された光は、２回反射して出光面１０Ｂから出射される。光源１１の斜め方向に出射された光は、１回反射して出光面１０Ｂから出射される。距離Ｄ４と距離Ｄ５とが略等しいため、２つの多光量領域Ｂ４の間に多光量領域Ｂ５が存在し、２つの多光量領域Ｂ５の間に多光量領域Ｂ４が存在している。すなわち、多光量領域Ｂ４と多光量領域Ｂ５とが、入光面１０Ａ側から対向面１０Ｄ側に向かう方向と直交する方向において交互に繰り返すように並んでいる。このように、導光板１０の入光部分近傍の出光面１０Ｂの明暗の差が抑制されている。
【００３７】
図９Ａ及び図９Ｂは、導光板１０の入光面１０Ａの法線方向から見た場合の導光板１０の側面図である。図９Ａ及び図９Ｂには、導光板１０の一部が示されている。反射シート１５が反対面１０Ｃに対向して配置されている。図９Ａの導光板１０の例では、反対面１０Ｃに一種類のレンチキュラー２２が設けられている。図９Ｂの導光板１０の例では、反対面１０Ｃに２種類のレンチキュラー２２が設けられている。図９Ｂの導光板１０の例では、大きいサイズのレンチキュラー２２Ａと、小さいサイズのレンチキュラー２２Ｂとが、反対面１０Ｃに設けられている。
【００３８】
図９Ａの導光板１０の例では、反対面１０Ｃに同一サイズのレンチキュラー２２が設けられているため、全てのレンチキュラー２２が反射シート１５に接触しており、反対面１０Ｃに対する反射シート１５の密着性が高い。反対面１０Ｃと反射シート１５とが密着している部分に導光板１０内の光が当たると、光が拡散反射せずに反射シート１５を透過する。したがって、反対面１０Ｃに対する反射シート１５の密着性が高くなるにつれて反射シート１５の透過光が多くなり、出光面１０Ｂの光量が低下し、導光板１０の輝度効率が低下する。
【００３９】
図９Ｂの導光板１０の例では、高さが異なる２種のレンチキュラー２２が反対面１０Ｃに設けられており、反対面１０Ｃにレンチキュラー２２Ａが非連続に配置されている。図９Ｂの導光板１０の例では、２つの第１サイズのレンチキュラー２２Ａの間に複数の第２サイズのレンチキュラー２２Ｂが配置されている。したがって、複数のレンチキュラー２２Ａが、一定の間隔を空けて、互いに平行に並んで反対面１０Ｃに配置されている。また、複数のレンチキュラー２２Ｂが、連続して並んで反対面１０Ｃに配置されている。レンチキュラー２２Ａの高さは、小さいサイズのレンチキュラー２２Ｂの高さよりも高い。そのため、レンチキュラー２２Ａが反射シート１５に接触するが、レンチキュラー２２Ｂは反射シート１５に接触しない。これにより、反対面１０Ｃに対する反射シート１５の密着性が低下する。したがって、反射シート１５の透過光が少なくなり、出光面１０Ｂの光量が増加し、導光板１０の輝度効率が向上する。また、高さが異なる２種以上のレンチキュラー２２が反対面１０Ｃに設けられてもよい。
【００４０】
実施形態に係る面光源装置１は、図９Ａの導光板１０又は図９Ｂの導光板１０を備えてもよい。図９Ｂの導光板１０の例は、反対面１０Ｃと反射シート１５との間に空間を設けることで、反対面１０Ｃに対する反射シート１５の密着性が低下している。図９Ａの導光板１０の例において、反対面１０Ｃと反射シート１５との間にスペーサを配置し、反対面１０Ｃと反射シート１５との間に空間を設けることで、反対面１０Ｃに対する反射シート１５の密着性を低下させてもよい。
【００４１】
ドットパターン２１の表面が、鏡面、微粗面又は粗面であってもよい。図１０は、ドットパターン２１の表面の説明図である。図１０に示すように、ドットパターン２１の表面が鏡面である場合、ドットパターン２１の反射性が高くなり、ドットパターン２１に当たった光が拡散せずに反射される場合が多くなる。そのため、ドットパターン２１の表面が鏡面である場合、導光板１０の輝度効率が低下する。ドットパターン２１の表面が鏡面である場合、ドットパターン２１の表面の算術平均粗さ（Ｒａ）は、例えば、約０．１μｍであるが、この数値に限定されない。図１０に示すように、ドットパターン２１の表面が粗面である場合、ドットパターン２１の反射性が低くなり、ドットパターン２１に当たった光が反射せずに拡散する場合が多くなる。そのため、ドットパターン２１の表面が粗面である場合、導光板１０の輝度効率が向上する。ドットパターン２１の表面が粗面である場合、ドットパターン２１の表面の算術平均粗さ（Ｒａ）は、例えば、約０．３μｍであるが、この数値に限定されない。
【００４２】
図１０に示すように、ドットパターン２１の表面が微粗面である場合、ドットパターン
２１は適度な拡散性及び反射性を有する。ドットパターン２１の表面が微粗面である場合、ドットパターン２１の表面の算術平均粗さ（Ｒａ）は、例えば、約０．２μｍであるが、この数値に限定されない。ドットパターン２１の表面が微粗面である場合における導光板１０の輝度効率は、ドットパターン２１の表面が鏡面である場合よりも高く、ドットパターン２１の表面が粗面である場合よりも低い。一つのドットのみが光って見える現象（ドット見え）を抑制するためには、ドットパターン２１の表面が微粗面であることが好ましく、ドットパターン２１の表面が鏡面であることがより好ましい。色度シフトを抑制するためには、ドットパターン２１の表面が微粗面であることが好ましく、ドットパターン２１の表面が鏡面であることがより好ましい。また、レンチキュラー２２の表面が、鏡面、微粗面又は粗面であってもよい。更に、ドットパターン２３の表面が、鏡面、微粗面又は粗面であってもよい。
【００４３】
ドットパターン２１の表面の算術平均粗さ（Ｒａ）が、入光面１０Ａ側から対向面１０Ｄ側に向かって大きくなってもよい。例えば、入光面１０Ａから所定距離以内に配置された複数のドットパターン２１の表面が鏡面であり、入光面１０Ａから所定距離以上離れて配置された複数のドットパターン２１の表面が微粗面であってもよい。入光面１０Ａから所定距離以内に配置された複数のドットパターン２１の表面が鏡面であることにより、入光面１０Ａから所定距離以内の領域における出光面１０Ｂの反射性が向上する。入光面１０Ａから所定距離以上離れて配置された複数のドットパターン２１の表面が微粗面であることにより、入光面１０Ａから所定距離以上離れた領域における出光面１０Ｂの拡散性が向上する。これにより、光源１１の正面方向に出射された光が、２回反射して出光面１０Ｂから出射され易くなる（図８Ａ参照）。
【００４４】
図１１Ａは、導光板１０の入光面１０Ａの法線方向から見た場合の導光板１０の側面図である。図１１Ａには、導光板１０の一部が示されている。反射シート１５が反対面１０Ｃに対向して配置されている。図１１Ａの導光板１０の例では、大きいサイズのレンチキュラー２２Ａと、小さいサイズのレンチキュラー２２Ｂと、ドットパターン２３とが反対面１０Ｃに設けられている。複数のレンチキュラー２２Ａが、一定の間隔を空けて、互いに平行に並んで反対面１０Ｃに配置されている。また、複数のレンチキュラー２２Ｂが、一定の間隔を空けて、互いに平行に並んで反対面１０Ｃに配置されている。複数のドットパターン２３が反対面１０Ｃに離散的に設けられている。ドットパターン２３は、第２拡散反射部の一例である。図１１Ａの導光板１０の例では、隣り合う２つのレンチキュラー２２Ｂの間にドットパターン２３が配置されている。図１１Ａに示すドットパターン２３は、導光板１０の外側に突出する凸形状であるが、この形状に限定されず、ドットパターン２３は、導光板１０の内側に窪む凹形状であってもよい。凹形状及び凸形状は、例えば、半球形状、レンズ形状、円柱形状、角柱形状、円錐形状、角錐形状、円錐台形状、角錐台形状等である。２つのレンチキュラー２２Ｂの間にドットパターン２３を配置することにより、出光面１０Ｂから出射される光の輝度を調整し、出光面１０Ｂから出射される光の輝度の均一性を向上することができる。
【００４５】
図１１Ａに示すように、ドットパターン２３が凸形状である場合、複数のドットパターン２３の高さが其々異なっていてもよいし、複数のドットパターン２３の高さが同じであってもよい。また、第１の高さを有する複数のドットパターン２３と、第２の高さを有する複数のドットパターン２３と、第３の高さを有する複数のドットパターン２３とを反対面１０Ｃに設けてもよい。第１の高さ、第２の高さ及び第３の高さは、其々異なる高さである。ドットパターン２３の高さを調整することにより、出光面１０Ｂから出射される光の輝度を調整し、出光面１０Ｂから出射される光の輝度の均一性を向上することができる。ドットパターン２３の高さは、レンチキュラー２２Ａの高さよりも低い。ドットパターン２３の高さが、レンチキュラー２２Ａの高さよりも低いことで、ドットパターン２３が反射シート１５に接触しない。そのため、反対面１０Ｃに荷重が加わった際におけるドッ
トパターン２３の破損が抑制される。ドットパターン２３の高さは、レンチキュラー２２Ｂの高さよりも高くてもよいし、レンチキュラー２２Ｂの高さよりも低くてもよい。また、ドットパターン２３が凹形状である場合、複数のドットパターンの深さが其々異なっていてもよい。
【００４６】
ドットパターン２３が凹形状である場合、複数のドットパターン２３の深さが其々異なっていてもよいし、複数のドットパターン２３の深さが同じであってもよい。また、第１の深さを有する複数のドットパターン２３と、第２の深さを有する複数のドットパターン２３と、第３の深さを有する複数のドットパターン２３とを反対面１０Ｃに設けてもよい。第１の深さ、第２の深さ及び第３の深さは、其々異なる深さである。ドットパターン２３の深さを調整することにより、出光面１０Ｂから出射される光の輝度を調整し、出光面１０Ｂから出射される光の輝度の均一性を向上することができる。
【００４７】
図１１Ｂは、導光板１０の入光面１０Ａの法線方向から見た場合の導光板１０の側面図である。図１１Ｂには、導光板１０の一部が示されている。反射シート１５が反対面１０Ｃに対向して配置されている。図１１Ｂに示すように、複数のレンチキュラー２２のうち隣り合うレンチキュラー２２の間に平面２４を設けるようにしてもよい。図１１Ｂの導光板１０の例では、複数のレンチキュラー２２が、一定の間隔を空けて、互いに平行に並んで反対面１０Ｃに配置されている。これにより、反対面１０Ｃに対する反射シート１５の密着性が低下する。したがって、反射シート１５の透過光が少なくなり、出光面１０Ｂの光量が増加し、導光板１０の輝度効率が向上する。
【００４８】
図１２は、導光板１０の底面図である。図１２の導光板１０の例では、反対面１０Ｃに複数のレンチキュラー２２が設けられている。図１２に示すように、入光面１０Ａの近傍に複数のレンチキュラー２２が配置されている。例えば、入光面１０Ａの近傍であって、光源１１の斜め方向に複数のレンチキュラー２２が配置されてもよい。光源１１の斜め方向は、隣り合う光源１１同士を結ぶ線の延在方向と直交する方向である。図１５に示されているように、光源２０３の斜め方向に暗い部分２０４が存在しているので、反対面１０Ｃに対して、光源１１の斜め方向にのみ複数のレンチキュラー２２を配置してもよい。入光面１０Ａの近傍であって、光源１１の斜め方向に複数のレンチキュラー２２を配置することにより、導光板１０の入光部分近傍の出光面１０Ｂの明暗の差が抑制される。
【００４９】
ドットパターン２１の表面は、ナノストラクチャーを利用した螺旋パターンであってもよい。図１３は、導光板１０の平面図である。図１３には、導光板１０の一部が示されている。図１３に示すように、出光面１０Ｂの法線方向から見て、ドットパターン２１の表面に螺旋の凹凸が形成されていてもよい。ドットパターン２１の表面に螺旋の凹凸を形成することにより、ドットパターン２１の表面を微粗面又は粗面に加工してもよい。
【００５０】
図１４Ａは、実施形態に係る導光板１０の明暗の度合い及び比較例に係る導光板３０１の明暗の度合いを示す図である。図１４Ｂは、実施形態に係る導光板１０の平面図である。図１４Ｃは、比較例に係る導光板３０１の平面図である。図１４Ａの実線Ｅ１は、実施形態に係る導光板１０の明暗の度合いであって、図１４Ｂの点線Ａ−Ａで示す箇所の明暗の度合いを示している。図１４Ａの点線Ｅ２は、比較例に係る導光板３０１の明暗の度合いであって、図１４Ｃの点線Ｂ−Ｂで示す箇所の明暗の度合いを示している。図１４Ａの一点鎖線Ｅ３は、比較例に係る導光板３０１の明暗の度合いであって、図１４Ｃの点線Ｃ−Ｃで示す箇所の明暗の度合いを示している。図１４Ｂの入光面１０Ａと点線Ａ−Ａとの間の距離Ｆ１は、図１４Ｃの入光面３０１Ａと点線Ｂ−Ｂとの間の距離Ｆ２と同じである。図１４Ｃの入光面３０１Ａと点線Ｃ−Ｃとの間の距離Ｆ３は、距離Ｆ２よりも長い。距離Ｆ３と距離Ｆ２との差分Ｆ４は、約１．４ｍｍである。
【００５１】
図１４Ａの実線Ｅ１の起伏が小さい。したがって、図１４Ｂの点線Ａ−Ａで示す箇所における出光面１０Ｂの明暗の差が小さく、出光面１０Ｂの明暗の発生が抑制されている。図１４Ａの点線Ｅ２の起伏が大きい。したがって、図１４Ｃの点線Ｂ−Ｂで示す箇所における出光面３０１Ｂの明暗の差が大きい。図１４Ａの実線Ｅ１の起伏と、図１４Ａの実線Ｅ１の起伏とが同程度である。図１４Ｂの点線Ａ−Ａで示す箇所における出光面１０Ｂの明暗の差が、図１４Ｃの点線Ｃ−Ｃで示す箇所における出光面３０１Ｂの明暗の差と同程度である。したがって、実施形態に係る導光板１０によれば、導光板１０の入光部分側における遮光両面テープ１８の幅を１．４ｍｍ程度狭小化することができる。すなわち、導光板１０の入光部分近傍の出光面１０Ｂの明暗の差が抑制されているため、遮光両面テープ１８の幅を１．４ｍｍ程度狭小化しても、面光源装置１及び液晶表示装置の見栄えが低下しない。
【００５２】
更に、このような表示装置は、各種の電子機器に搭載することができる。このような表示装置を備えた電子機器として、スマートフォン、デジタルカメラ、タブレット端末、電子ブック、ウェアラブル機器、カーナビゲーション装置、電子辞書、電子広告板等を例示できる。このような電子機器は、小型化、薄型化が可能な上に、優れた品質の表示を提供することが期待できる。
【符号の説明】
【００５３】
１    面光源装置
２    表示パネル
１０  導光板
１１  光源
１２  ＦＰＣ
１３  フレーム
１４  固定部材
１５  反射シート
１６  拡散シート
１７  プリズムシート
１８  遮光両面テープ
２１、２３  ドットパターン
２２、２２Ａ、２２Ｂ  レンチキュラー
【図１】
2019139851.tif 000003
【図２】
2019139851.tif 000004
【図３】
2019139851.tif 000005
【図４】
2019139851.tif 000006
【図５】
2019139851.tif 000007
【図６】
2019139851.tif 000008
【図７Ａ】
2019139851.tif 000009
【図７Ｂ】
2019139851.tif 000010
【図７Ｃ】
2019139851.tif 000011
【図７Ｄ】
2019139851.tif 000012
【図７Ｅ】
2019139851.tif 000013
【図８Ａ】
2019139851.tif 000014
【図８Ｂ】
2019139851.tif 000015
【図９Ａ】
2019139851.tif 000016
【図９Ｂ】
2019139851.tif 000017
【図１０】
2019139851.tif 000018
【図１１Ａ】
2019139851.tif 000019
【図１１Ｂ】
2019139851.tif 000020
【図１２】
2019139851.tif 000021
【図１３】
2019139851.tif 000022
【図１４Ａ】
2019139851.tif 000023
【図１４Ｂ】
2019139851.tif 000024
【図１４Ｃ】
2019139851.tif 000025
【図１５】
2019139851.tif 000026